(57)【要約】【課題】公共交通機関の中で使用される場合であっても、利便性を向上させることが可能な携帯型プレーヤーを提供すること。【解決手段】携帯型プレーヤー１は、音声を発生させる音声発生手段５と、公共交通機関の発着時間に関する時刻表情報と携帯型プレーヤー１の機能とを関連付けたデータベースを記憶する情報記憶手段２と、データベースに基づいて音声発生手段５で発生される音声制御する制御手段７とを備えている。この携帯型プレーヤー１では、公共交通機関の中で使用される場合に、キー操作部３での所定の操作を不要とすることが可能になる。【選択図】図１
2008309816.tif 000002
【特許請求の範囲】
【請求項１】
音声を発生させる音声発生手段および／または画像を表示する画像表示手段を備える携帯型プレーヤーにおいて、
公共交通機関の発着時間に関する時刻表情報と上記携帯型プレーヤーの機能とを関連付けたデータベースを記憶する情報記憶手段と、上記データベースに基づいて上記音声発生手段で発生される上記音声および／または上記画像表示手段で表示される上記画像を制御する制御手段とを備えることを特徴とする携帯型プレーヤー。
【請求項２】
前記音声発生手段で発生される前記音声のデータである音声データおよび／または前記画像表示手段で表示される前記画像のデータである画像データを受信するデータ受信手段を備えることを特徴とする請求項１記載の携帯型プレーヤー。
【請求項３】
前記時刻表情報を受信するデータ受信手段を備えることを特徴とする請求項１または２記載の携帯型プレーヤー。
【請求項４】
前記制御手段は、前記データベースに含まれる前記携帯型プレーヤーの利用者の出発地点の出発時刻と現在時刻との比較結果に基づいて、前記音声発生手段で前記音声を発生させる音声発生機能および／または前記画像表示手段で前記画像を表示させる画像表示機能を作動状態とするとともに、前記データベースに含まれる前記携帯型プレーヤーの利用者の到着地点の到着時刻と現在時刻との比較結果に基づいて、上記音声発生機能および／または上記画像表示機能を停止状態とすることを特徴とする請求項１から３いずれかに記載の携帯型プレーヤー。
【請求項５】
前記音声としての楽曲を記憶する楽曲記憶手段を備えるとともに、
前記公共交通機関として複数の電車を利用する場合に、前記制御手段は、上記複数の電車の乗車時に所定の音量で上記楽曲を再生し、上記複数の電車の乗換時に上記楽曲を一時停止しあるいは再生される上記楽曲の音量を調整することを特徴とする請求項１から４いずれかに記載の携帯型プレーヤー。
【請求項６】
前記データベースに含まれる前記複数の電車の乗換経路と、前記携帯型プレーヤーの利用者が乗車中の前記電車で再生される前記楽曲の再生状態とを同時に表示する再生状態表示手段を備えることを特徴とする請求項５記載の携帯型プレーヤー。
【請求項７】
音声を発生させる音声発生手段および／または画像を表示する画像表示手段と、公共交通機関の発着時間に関する時刻表情報を記憶する情報記憶手段と、上記時刻表情報に基づいて上記音声発生手段で発生される上記音声および／または上記画像表示手段で表示される上記画像を制御する制御手段とを備えることを特徴とする携帯型プレーヤー。
【請求項８】
音声を発生させる音声発生手段および／または画像を表示する画像表示手段を備える携帯型プレーヤーの制御方法において、
公共交通機関の発着時間に関する時刻表情報を取得する時刻表情報取得ステップと、上記時刻表情報取得ステップで取得された上記時刻表情報と上記携帯型プレーヤーの機能とを関連付けたデータベースを作成するデータベース作成ステップと、上記データベース作成ステップで作成された上記データベースに基づいて上記音声発生手段で発生される上記音声および／または上記画像表示手段で表示される上記画像を制御する制御ステップとを備えることを特徴とする携帯型プレーヤーの制御方法。
【発明の詳細な説明】
【技術分野】
【０００１】
本発明は、携帯型プレーヤーおよび携帯型プレーヤーの制御方法に関する。
【背景技術】
【０００２】
ＣＤ（Ｃｏｍｐａｃｔ  Ｄｉｓｋ）、フラッシュメモリあるいはＨＤ（Ｈａｒｄ  Ｄｉｓｋ）等の記憶媒体に楽曲等が記憶された携帯可能な携帯型プレーヤーが広く使用されている。この種の携帯型プレーヤーに関する技術として、携帯型プレーヤーを使用する場所（たとえば、海、山）あるいは使用時間帯（たとえば、朝、昼、夜）等の周辺環境情報を取得し、取得された周辺環境情報に基づいて再生楽曲候補を自動的に決定し、再生楽曲候補の中から再生する楽曲を利用者が選択できる技術が提案されている（たとえば、特許文献１参照）。
【０００３】
【特許文献１】特開２００６−１４６９８０号公報
【発明の開示】
【発明が解決しようとする課題】
【０００４】
携帯型プレーヤーは、ヘッドフォン等を用いて、電車やバス等の公共交通機関の中で使用される機会も多い。ここで、公共交通機関としてたとえば電車を利用する場合、電車の運転時、停車時あるいは乗換時等で、携帯型プレーヤーの利用者の周辺環境（たとえば、騒音等）は変動する。そのため、利用者は、周辺環境に応じて携帯型プレーヤーの音量を調整する必要が生じる。また、電車を乗り換える場合には、乗換駅で所定の情報を聞き取るために携帯型プレーヤーを一旦停止させ、乗換後に再び、携帯型プレーヤーを起動する必要が生じることもある。
【０００５】
このように、共交通機関の中で携帯型プレーヤーが使用される場合、従来、携帯型プレーヤーの利用者は、煩雑な操作をする必要があり、市場では、携帯型プレーヤーの利便性の向上が求められている。しかしながら、特許文献１には、公共交通機関の中で携帯型プレーヤーが使用される際の上述の問題を解決するための手段は開示されていない。
【０００６】
そこで、本発明の課題は、公共交通機関の中で使用される場合であっても、利便性を向上させることが可能な携帯型プレーヤーおよび携帯型プレーヤーの制御方法を提供することにある。
【課題を解決するための手段】
【０００７】
上記の課題を解決するため、本発明は、音声を発生させる音声発生手段および／または画像を表示する画像表示手段を備える携帯型プレーヤーにおいて、公共交通機関の発着時間に関する時刻表情報と携帯型プレーヤーの機能とを関連付けたデータベースを記憶する情報記憶手段と、データベースに基づいて音声発生手段で発生される音声および／または画像表示手段で表示される画像を制御する制御手段とを備えることを特徴とする。
【０００８】
本発明において、携帯型プレーヤーは、音声発生手段で発生される音声のデータである音声データおよび／または画像表示手段で表示される画像のデータである画像データを受信するデータ受信手段を備えることが好ましい。
【０００９】
本発明において、携帯型プレーヤーは、時刻表情報を受信するデータ受信手段を備えることが好ましい。
【００１０】
本発明において、制御手段は、データベースに含まれる携帯型プレーヤーの利用者の出発地点の出発時刻と現在時刻との比較結果に基づいて、音声発生手段で音声を発生させる音声発生機能および／または画像表示手段で画像を表示させる画像表示機能を作動状態とするとともに、データベースに含まれる携帯型プレーヤーの利用者の到着地点の到着時刻と現在時刻との比較結果に基づいて、音声発生機能および／または画像表示機能を停止状態とすることが好ましい。
【００１１】
本発明において、携帯型プレーヤーは、音声としての楽曲を記憶する楽曲記憶手段を備えるとともに、公共交通機関として複数の電車を利用する場合に、制御手段は、複数の電車の乗車時に所定の音量で楽曲を再生し、複数の電車の乗換時に楽曲を一時停止しあるいは再生される楽曲の音量を調整することが好ましい。
【００１２】
本発明において、携帯型プレーヤーは、データベースに含まれる複数の電車の乗換経路と、携帯型プレーヤーの利用者が乗車中の電車で再生される楽曲の再生状態とを同時に表示する再生状態表示手段を備えることが好ましい。
【００１３】
また、上記の課題を解決するため、本発明の携帯型プレーヤーは、音声を発生させる音声発生手段および／または画像を表示する画像表示手段と、公共交通機関の発着時間に関する時刻表情報を記憶する情報記憶手段と、時刻表情報に基づいて音声発生手段で発生される音声および／または画像表示手段で表示される画像を制御する制御手段とを備えることを特徴とする。
【００１４】
さらに、上記の課題を解決するため、本発明は、音声を発生させる音声発生手段および／または画像を表示する画像表示手段を備える携帯型プレーヤーの制御方法において、公共交通機関の発着時間に関する時刻表情報を取得する時刻表情報取得ステップと、時刻表情報取得ステップで取得された時刻表情報と携帯型プレーヤーの機能とを関連付けたデータベースを作成するデータベース作成ステップと、データベース作成ステップで作成されたデータベースに基づいて音声発生手段で発生される音声および／または画像表示手段で表示される画像を制御する制御ステップとを備えることを特徴とする。
【発明の効果】
【００１５】
本発明にかかる携帯型プレーヤーでは、公共交通機関の中で使用される場合であっても、その利便性を向上させることが可能になる。また、本発明にかかる携帯型プレーヤーの制御方法では、携帯型プレーヤーが公共交通機関の中で使用される場合であっても、携帯型プレーヤーの利便性を向上させることが可能になる。
【発明を実施するための最良の形態】
【００１６】
以下、本発明の実施の形態を図面に基づいて説明する。
【００１７】
（携帯型プレーヤーの概略構成）
図１は、本発明の実施の形態にかかる携帯型プレーヤー１の概略構成を示すブロック図である。
【００１８】
本形態の携帯型プレーヤー１は、内部に記憶された複数の楽曲を再生する携帯型の音楽プレーヤーである。具体的には、本形態の携帯型プレーヤー１は、各種データを送受信する送受信機能と複数の楽曲を記憶する楽曲記憶機能と楽曲を再生する楽曲再生機能（音楽再生機能）とを併せ持つ音楽プレーヤーである。なお、携帯型プレーヤー１は、携帯電話であっても良い。
【００１９】
この携帯型プレーヤー１は、図１に示すように、再生される複数の楽曲（具体的には楽曲データ）等を記憶する大容量記憶部２と、携帯型プレーヤー１の各種の操作を行うためのキー操作部３と、再生される楽曲（具体的には楽曲の信号）を増幅するアンプ４と、楽曲を発生させる出力部５と、各種の情報を表示する表示部６と、携帯型プレーヤー１の各種の制御を行う制御部７と、各種のデータを受信するためのデータ受信部８とを備えている。
【００２０】
大容量記憶部２、キー操作部３、アンプ４、表示部６およびデータ受信部８は、制御部７に接続されている。具体的には、キー操作部３、アンプ４、表示部６およびデータ受信部８は、制御部７を構成する後述の演算部１１に接続され、大容量記憶部２は、制御部７を構成する後述の一時記憶部１２に接続されている。また、出力部５は、アンプ４に接続されている。
【００２１】
大容量記憶部２は、たとえば、ハードディスク駆動装置（ＨＤＤ）あるいはメモリスティック等の大容量のフラッシュメモリであり、携帯型プレーヤー１に内蔵されている。この大容量記憶部２には、上述のように、再生される複数の楽曲が記憶されている。具体的には、アルバム名、アーティスト名およびジャンルのインデックスが各楽曲に関連付けられた状態で複数の楽曲が大容量記憶部２に記憶されている。また、大容量記憶部２には、複数の楽曲に加え、データ受信部８で受信される後述の時刻表情報と携帯型プレーヤー１の機能とを関連付けたデータベース等が記憶されている。すなわち、本形態の大容量記憶部２は、楽曲を記憶する楽曲記憶手段であるとともに、データベースを記憶する情報記憶手段である。大容量記憶部２に記憶されるデータベースについては後述する。
【００２２】
キー操作部３は、たとえば、押しボタンであり、携帯型プレーヤー１の本体部分と一体となっている。出力部５は、ヘッドフォンやイヤフォンであり、所定のコネクタを介して携帯型プレーヤー１の本体部分に接続されている。本形態の出力部５は、音声としての楽曲を発生させる音声発生手段である。
【００２３】
表示部６は、たとえば、液晶ディスプレイであり、携帯型プレーヤー１の本体部分と一体となっている。本形態の表示部６は、後述のように、公共交通機関として複数の電車を利用する場合に、複数の電車の乗換経路と、携帯型プレーヤー１の利用者が乗車中の電車で再生される楽曲の再生状態とを同時に表示する再生状態表示手段である。
【００２４】
制御部７は、演算部１１と一時記憶部１２と計時部１３とを備えている。演算部１１は、たとえば、ＣＰＵ（Ｃｅｎｔｒａｌ  Ｐｒｏｃｅｓｓｉｎｇ  Ｕｎｉｔ）である。一時記憶部１２は、たとえば、ＲＡＭ（Ｒａｎｄｏｍ  Ａｃｃｅｓｓ  Ｍｅｍｏｒｙ）である。この一時記憶部１２には、演算部１１で演算を行うためのデータ等が一時的に記憶される。たとえば、一時記憶部１２には、後述の時刻表情報が記憶される。計時部１３は、クロック発生手段を備えており、現在時刻を算出する。制御部７の詳細な機能については後述する。
【００２５】
データ受信部８は、インターネットサイト（携帯用サイト）にアクセス可能に構成されており、各種のインターネットサイトから各種のデータを受信する。本形態のデータ受信部８は、たとえば、音楽情報サイトにアクセスして、制御部７を介して大容量記憶部２に記憶される複数の楽曲データを受信する。また、データ受信部８は、後述のように、電車時刻表・乗換サイトにアクセスして、一時記憶部１２に記憶される時刻表情報を受信する。すなわち、本形態のデータ受信部８は、出力部５で発生される楽曲のデータである楽曲データと時刻表情報とを受信するデータ受信手段である。
【００２６】
（楽曲再生機能に関連する携帯型プレーヤーの構成）
図２は、図１に示す表示部６の、時刻表情報取得時の画面を示す図であり、（Ａ）は時刻表情報を取得するための情報入力画面を示し、（Ｂ）は取得した時刻表情報の表示画面を示す。図３は、図１に示す演算部１１で作成され、大容量記憶部２に記憶されるデータベースの一例を示す表である。図４は、図１に示す携帯型プレーヤー１の時刻表連動再生モード等を設定する際の表示部６の画面を示す図である。図５は、図１に示す携帯型プレーヤー１の時刻表連動再生モードにおける楽曲再生時の表示部６の画面の一例を示す図である。
【００２７】
以下、楽曲再生機能に関連する携帯型プレーヤー１の詳細な構成について説明する。本形態の携帯型プレーヤー１では、電車、バスあるいは航空機等の公共交通機関の中で使用される際の楽曲再生機能に特徴がある。以下では、公共交通機関である電車の中で携帯型プレーヤー１が使用される場合を例に、公共交通機関の中で使用される際の楽曲再生機能に関連する携帯型プレーヤー１の構成を説明する。また、以下では、乗換駅Ｂおよび乗換駅Ｃで電車を乗り換えながら、３本の電車を乗り継いで出発駅Ａから到着駅Ｄまで移動する場合を例に、楽曲再生機能に関連する携帯型プレーヤー１の構成を説明する。
【００２８】
本形態の携帯型プレーヤー１では、データ受信部８が公共交通機関の発着時間に関する時刻表情報を受信し、受信した時刻表情報を演算部１１が一時記憶部１２に記憶する。
【００２９】
具体的には、時刻表情報を受信する際には、まず、キー操作部３で所定の操作を行い、表示部６に、図２（Ａ）に示す情報入力画面を表示する。そして、キー操作部３を使用して、出発駅Ａ、到着駅Ｄおよび出発駅Ａの出発予定時刻を入力する。これらの情報を入力し、キー操作部３で所定の操作を行うと、データ受信部８が電車時刻表・乗換サイトにアクセスして、入力条件に合った時刻表情報を受信する。データ受信部８が時刻表情報を受信すると、演算部１１は、上述のように、時刻表情報を一時記憶部１２に記憶する。また、演算部１１は、図２（Ｂ）に示すように、時刻表情報を表示部６に表示する。
【００３０】
ここで、図２（Ｂ）に示すように、時刻表情報には、出発駅Ａ、乗換駅Ｂ、Ｃおよび到着駅Ｄの情報（すなわち、複数の電車の乗換経路）が含まれるとともに、各駅での電車の出発時間、各駅間の乗車時間および乗換駅Ｂ、Ｃでの乗換時間の情報が含まれている。なお、図２（Ｂ）に示す例では、各駅間の乗車時間が時刻表情報に含まれているが、各駅間の乗車時間に代えて、乗換駅Ｂ、Ｃへの到着時間が時刻表情報に含まれても良い。
【００３１】
また、本形態では、演算部１１は、一時記憶部１２に記憶された時刻表情報と携帯型プレーヤー１の機能とを関連付けたデータベースを作成する。具体的には、図３に示すように、時刻表情報に含まれる出発駅Ａ、乗換駅Ｂ、Ｃでの出発時間、到着駅Ｄへの到着時間、乗換駅Ｂ、Ｃでの乗換時間および各駅間の乗車時間と、携帯型プレーヤー１の機能である再生、再生開始、停止、一時停止および楽曲再生機能のオン、オフとを関連付けたデータベースを作成する。また、演算部１１は、作成したデータベースを大容量記憶部２に記憶する。
【００３２】
本形態の制御部７は、公共交通機関の中で携帯型プレーヤー１が使用される際に、大容量記憶部２に記憶されたデータベースに基づいて、後述のように、携帯型プレーヤー１の制御（具体的には、出力部５から出力される（再生される）楽曲の制御）を行う。すなわち、本形態の制御部７は、大容量記憶部２に記憶されたデータベースに基づいて、出力部５から出力される楽曲を制御する制御手段である。なお、以下では、大容量記憶部２に記憶されたデータベースに基づいて再生される楽曲が制御される楽曲再生モードを「時刻表連動再生モード」とする。
【００３３】
公共交通機関の中で携帯型プレーヤー１が使用される際の時刻表連動再生モードの設定は、以下のように行う。まず、キー操作部３で所定の操作を行い、図４（Ａ）に示すように、今回の経路となる経路１を表示部６に表示する。その後、キー操作部３で所定の操作を行い、図４（Ｂ）に示すように、サブメニューを開いて、楽曲再生モードを時刻表連動再生モードに設定する。
【００３４】
また、その後、キー操作部３で所定の操作を行い、たとえば、図４（Ｃ）に示すように、再生モードをノーマル再生に設定し、図４（Ｄ）に示すように、アルバム名に基づいて楽曲が再生されるように設定する。また、図４（Ｅ）、（Ｆ）に示すように、出発駅Ａを出発後、最初に再生されるアルバムａを設定し、確認して、一連の設定が完了する。
【００３５】
ここで、再生モードがノーマル再生である場合には、ソートされたアルバム順（図４（Ｅ）に示す例では、アルバムａ→アルバムｂ→アルバムｃ→アルバムｄの順番）で、楽曲が再生される。また、再生モードがリピート再生である場合には、図４（Ｅ）の設定画面で設定されたアルバムａが繰返しで再生され、再生モードがシャッフルである場合には、ランダムにアルバムが選択され、楽曲が再生される。また、図４（Ｄ）に示すように、アーティスト名、ジャンルあるいは利用者が任意に設定するプレイリストに基づいて楽曲が再生されるように設定することもできる。
【００３６】
なお、図４（Ｃ）〜（Ｆ）の設定を行わずに、利用者が携帯型プレーヤー１の直近の使用時に停止した楽曲の続きから楽曲が再生されるように携帯型プレーヤー１を構成しても良い。すなわち、いわゆるリジュームプレイで楽曲が再生されるように携帯型プレーヤー１を構成しても良い。
【００３７】
楽曲再生モードが時刻表連動再生モードに設定されると、表示部６には、図５に示すように、各駅の情報（複数の電車の乗換経路）と各駅間の乗車時間とが表示可能となる。また、本形態では、後述のように、各駅間の乗車時間中に、楽曲の再生が行われるため、表示部６には、乗換経路や乗車時間に加え、各駅間の乗車時間中に再生されるアルバム名が表示される。乗換経路、乗車時間およびアルバム名は、図５に示すように、表示部６の上側部分に表示される。
【００３８】
また、携帯型プレーヤー１の利用者が電車に乗っている際に、キー操作部３で所定の操作を行って、乗車中の電車（図５に示す例では、出発駅Ａから乗換駅Ｂに向かう電車）を選択すると、楽曲の再生状態が表示部６に表示される。図５に示す例では、出発駅Ａと乗換駅Ｂとの間では、アルバムａに含まれる全１６曲とアルバムｂに含まれる１５曲のうちの３曲目までとが再生されるようになっており、表示部６には、現在、アルバムａの９曲目が再生されている状態が表示されている。また、楽曲の再生状態は、表示部６の下側部分に表示される。なお、図５に示す表示画面から、再生される楽曲を変更することが可能である。
【００３９】
このように、楽曲再生モードが時刻表連動再生モードに設定されると、表示部６には、複数の電車の乗換経路と、携帯型プレーヤー１の利用者が乗車中の電車で再生される楽曲の再生状態とが同時に表示可能となる。なお、この場合には、図５に示すように、スクロールバー１４も表示部６に表示される。
【００４０】
（携帯型プレーヤーの制御方法）
図６は、図１に示す携帯型プレーヤー１の制御方法を説明するためのフローチャートである。図７は、図１に示す携帯型プレーヤー１の制御方法を説明するための概念図である。
【００４１】
以上のように構成された携帯型プレーヤー１が公共交通機関の中で使用される際の楽曲再生機能に関連する携帯型プレーヤー１の制御方法を以下に説明する。なお、以下では、乗換駅Ｂおよび乗換駅Ｃで電車を乗り換えながら、３本の電車を乗り継いで出発駅Ａから到着駅Ｄまで移動する場合（すなわち、図７に示す場合）を例に、楽曲再生機能に関連する携帯型プレーヤー１の制御方法を説明する。また、以下では、時刻表情報を受信するとともに、楽曲再生モードを時刻表連動再生モードに設定する場合の携帯型プレーヤー１の制御方法を説明する。
【００４２】
図６に示すフローのように、本形態では、まず、時刻表情報を受信する（ステップＳ１）。具体的には、上述のように、利用者が、表示部６に表示される情報入力画面（図２（Ａ）参照）に、出発駅Ａ、到着駅Ｄおよび出発駅Ａの出発予定時刻を入力する等の所定の操作を行うと、データ受信部８が電車時刻表・乗換サイトにアクセスして、入力条件に合った時刻表情報を受信する。
【００４３】
その後、演算部１１は、図２（Ｂ）に示すように、時刻表情報を表示部６に表示する（ステップＳ２）。また、演算部１１は、時刻表情報を一時記憶部１２に記憶するとともに、一時記憶部１２に記憶された時刻表情報と携帯型プレーヤー１の機能とを関連付けたデータベースを作成し、大容量記憶部２に記憶する（ステップＳ３）。具体的には、図３に示すようなデータベースを作成して、大容量記憶部２に記憶する。
【００４４】
その後、利用者は所定の操作を行って、楽曲再生モードを時刻表連動再生モードに設定する（ステップＳ４）。また、このステップＳ４では、図４（Ｃ）〜（Ｆ）に示す各種の設定を行う。
【００４５】
楽曲再生モードが時刻表連動再生モードに設定されると、制御部７は、現在時刻が出発地点である出発駅Ａでの出発時間（出発時刻）であるか否かを判断する（ステップＳ５）。具体的には、演算部１１が、データベースに含まれる出発駅Ａでの出発時間と、計時部１３で算出される現在時刻とを比較して、現在時刻が出発駅Ａでの出発時間であるか否かを判断する。また、演算部１１は、現在時刻が出発駅Ａでの出発時間となるまで、所定時間ごとにこの判断を行う。
【００４６】
現在時刻が出発駅Ａでの出発時間になると、大容量記憶部２に記憶されているデータベースに基づいて、図７に示すように、制御部７が楽曲再生機能をオンの状態（作動状態）にする（ステップＳ６）。また、その後、制御部７が自動で楽曲を再生する（ステップＳ７）。具体的には、ステップＳ４で行われた各種の設定に基づいて、演算部１１が、アルバムａの１曲目から順番に楽曲データを抽出し、アンプ４および出力部５を利用してノーマル再生で楽曲を再生する。
【００４７】
その後、制御部７は、所定時間ごとに、利用者が現在乗車中の電車から降りる降車駅に到着したか否かを判断する（ステップＳ８）。具体的には、演算部１１が、データベースに含まれる乗車時間と計時部１３で算出される現在時刻とから降車駅に到着したか否かを判断する。そして、降車駅に到着するまでは、継続的に楽曲を再生する。すなわち、出発駅Ａから乗換駅Ｂまでの乗車時間中は、継続的に楽曲を再生する。
【００４８】
一方、ステップＳ８で降車駅に到着したと判断されると、制御部７は、その降車駅が到着駅Ｄであるか否かを判断する（ステップＳ９）。具体的には、演算部１１が、データベースに含まれる到着時間と計時部１３で算出される現在時刻とを比較して、その降車駅が到着駅Ｄであるか否かを判断する。すなわち、演算部１１は、データベースに含まれる到着時間と計時部１３で算出される現在時刻とを比較して、現在時刻が到着駅Ｄへの到着時刻であるか否かを判断する。
【００４９】
図７に示す例では、その降車駅は乗換駅Ｂであるため、ステップＳ９で到着駅でないと判断され、制御部７は、データベースに基づいて自動で、図７に示すように、楽曲の再生を一時停止する（ステップＳ１０）。すなわち、本形態では、公共交通機関として複数の電車を利用する場合、電車の乗換時間中は、楽曲の再生を一時停止する。
【００５０】
その後、制御部７は、乗換駅Ｂでの乗換時間が経過したか否かを判断する（ステップＳ１１）。すなわち、制御部７は、現在時刻が乗換駅Ｂでの出発時間であるか否かを判断する。具体的には、演算部１１が、データベースに含まれる乗換駅Ｂでの乗換時間および／または出発時間と計時部１３で算出される現在時刻とから、乗換駅Ｂでの乗換時間が経過したか否かを判断する。そして、乗換時間が経過するまでは、一時停止を継続する。
【００５１】
一方、ステップＳ１１で乗換時間が経過したと判断されると、ステップＳ７に戻って、再び、自動で楽曲を再生する。すなわち、データベースに基づいて、図７に示すように、再び、楽曲を再生する。具体的には、演算部１１が、アルバムａおよびアルバムｂの楽曲データを大容量記憶部２から順番に抽出し、アンプ４および出力部５を利用してノーマル再生で楽曲を再生する。
【００５２】
その後、ステップＳ８へ進み、やがて、ステップＳ８で降車駅に到着したと判断される。図７に示す例では、その降車駅は乗換駅Ｃであるため、ステップＳ９で到着駅Ｄでないと判断され、ステップＳ１０で、データベースに基づいて自動で、図７に示すように、楽曲の再生を一時停止する。その後、ステップＳ１１へ進み、ステップＳ１１で乗換時間が経過したと判断されると、ステップＳ７に戻って、データベースに基づいて自動で、図７に示すように、再び、楽曲を再生する。具体的には、演算部１１が、アルバムｂの楽曲データを大容量記憶部２から順番に抽出し、アンプ４および出力部５を利用してノーマル再生で楽曲を再生する。
【００５３】
その後、ステップＳ８へ進み、やがて、ステップＳ８で降車駅に到着したと判断される。図７に示す例では、その降車駅は到着駅Ｄであるため、ステップＳ９で到着駅Ｄであると判断される。ステップＳ９で到着駅Ｄであると判断されると、制御部７は自動で楽曲の再生を停止する（ステップＳ１２）。また、その後、図７に示すように、制御部７が楽曲再生機能をオフの状態（停止状態）にして（ステップＳ１３）、一連の制御フローが終了する。
【００５４】
なお、本形態では、ステップＳ１は、公共交通機関の発着時間に関する時刻表情報を受信し、取得する時刻表情報取得ステップであり、ステップＳ３は、ステップＳ１で取得された時刻表情報と携帯型プレーヤー１の機能とを関連付けたデータベースを作成するデータベース作成ステップである。また、ステップＳ５〜Ｓ１２は、ステップＳ３で作成されたデータベースに基づいて出力部５から出力される楽曲を制御する（具体的には、楽曲の再生、停止を制御する）制御ステップである。
【００５５】
（本形態の主な効果）
以上説明したように、本形態では、公共交通機関の発着時間に関する時刻表情報を取得（受信）し、時刻表情報と携帯型プレーヤー１の機能とを関連付けたデータベースを作成し記憶するとともに、データベースに基づいて、楽曲の再生、停止を制御している。そのため、公共交通機関が電車である場合には、データベースに基づいて推定される電車の乗車時あるいは乗換時等の、携帯型プレーヤー１の利用者の周辺環境に応じて、自動で楽曲を再生し、停止させることができる。したがって、たとえば、電車に乗る際の楽曲を再生するためのキー操作部３の操作や、電車から降りる際の楽曲を停止するためのキー操作部３の操作等が不要になり、出発駅Ａから到着駅Ｄまで、利用者は携帯型プレーヤー１の操作を行う必要がなくなる。その結果、本形態では、公共交通機関の中で使用される場合であっても、携帯型プレーヤー１の利便性を向上させることができる。
【００５６】
また、本形態では、時刻表情報と携帯型プレーヤー１の機能とを関連付けたデータベースが大容量記憶部２に記憶され、このデータベースに基づいて、制御部７は、楽曲の再生、停止を制御している。そのため、制御部７での演算処理が軽減される。すなわち、データベースが記憶されていない場合には、楽曲の再生、停止制御を行うために、制御部７は、時刻表情報と携帯型プレーヤー１の機能とを関連付けるための演算を行う必要があるが、本形態では、この演算が不要となり、制御部７での演算処理が軽減される。
【００５７】
本形態では、携帯型プレーヤー１は、楽曲データと時刻表情報とを受信するデータ受信部８を備えている。そのため、任意の場所で、楽曲データや時刻表情報を受信することができ、携帯型プレーヤー１の利便性がさらに向上する。
【００５８】
本形態では、データベースに含まれる携帯型プレーヤー１の利用者の出発駅Ａの出発時刻と現在時刻との比較し、現在時刻が出発駅Ａでの出発時間になると、楽曲再生機能を作動状態とし、到着駅Ｄの到着時刻と現在時刻との比較し、現在時刻が到着駅Ｄへの到着時間になると、楽曲再生機能を停止状態としている。そのため、携帯型プレーヤー１の省電力化を図ることが可能になり、携帯型プレーヤー１のバッテリーの消耗を抑制することができる。
【００５９】
本形態では、複数の電車の乗車時に楽曲を再生し、複数の電車の乗換時に楽曲を一時停止している。そのため、雑音が大きくなる乗換時には、楽曲を一時停止することができ、利用者は聴きたい楽曲を適切に聴くことができる。また、利用者は、乗換駅で、場内アナウンス等の必要な情報を聴き取ることが可能となる。
【００６０】
本形態では、複数の電車の乗換経路と、携帯型プレーヤー１の利用者が乗車中の電車で再生される楽曲の再生状態とが表示部６に同時に表示されている。そのため、楽曲を聴きながら、乗換経路を目視で確認することができる。また、再生される楽曲の再生状態を目視で確認できる。その結果、利用者の利便性が向上する。
【００６１】
（他の実施の形態）
上述した形態は、本発明の好適な形態の一例ではあるが、これに限定されるものではなく本発明の要旨を変更しない範囲において種々変形実施が可能である。
【００６２】
上述した形態では、楽曲再生機能（音楽再生機能）が作動状態にあるときに、制御部７は自動で、乗車時に楽曲を再生し、乗換時に楽曲の再生を一時停止している。この他にもたとえば、図８に示すように、楽曲再生機能が作動状態にあるときに、制御部７は自動で、乗車時に所定の音量で楽曲を再生し、乗換時に楽曲の再生を継続するとともに再生される楽曲の音量（ＶＯＬＵＭＥ）を０としても（すなわち、ＭＵＴＥとしても）良い。また、制御部７は自動で、音漏れを考慮した所定の音量で（ＶＯＬＵＭＥ  ＤＯＷＮして）乗車時に楽曲を再生し、乗換時に楽曲の再生を継続するとともに再生される楽曲の音量を上げても（ＶＯＬＵＭＥ  ＵＰしても）良い。すなわち、乗車時に所定の音量で楽曲を再生し、乗換時に再生される楽曲の音量を調整しても良い。また、携帯型プレーヤー１がノイズキャンセル機能を備えている場合（たとえば、携帯型プレーヤー１にノイズキャンセルヘッドフォンが搭載されている場合）には、図８に示すように、制御部７は自動で、乗車時にノイズキャンセル機能をオンの状態とし、乗換時にノイズキャンセル機能をオフの状態としても良い。
【００６３】
このように、図８に示す乗車時の状況および乗換時の状況を考慮して、乗車時および乗換時に各機能の動作が可能となるように、携帯型プレーヤー１を構成しても良い。この場合には、キー操作部３での所定の操作により、乗車時および乗換時に携帯型プレーヤー１のどの機能を動作させるかを選択できるようにすれば良い。また、図８に示す各機能を動作させる場合には、時刻表情報とこれらの機能とを関連付けたデータベースを作成すれば良い。
【００６４】
上述した形態では、携帯型プレーヤー１は、楽曲再生機能を備えている。この他にもたとえば、携帯型プレーヤー１は、楽曲再生機能に加え、あるいは、楽曲再生機能に代えて、動画再生機能および／またはテレビ（ワンセグ）やラジオ等の放送受信機能を備えていても良い。すなわち、携帯型プレーヤー１は、音声を発生させる音声発生機能および画像を表示する画像表示機能を有する動画再生機能や、画像表示機能および／または音声発生機能を有する放送受信機能を備えていても良い。
【００６５】
この場合には、キー操作部３での所定の操作により、楽曲再生機能、動画再生機能または放送受信機能のいずれかの機能を選択できるようにすれば良い。また、この場合には、出力部５が動画、テレビあるいはラジオの音声を発生させる音声発生手段となり、表示部６が動画やテレビの画像を表示する画像表示手段となる。なお、出力部５に加え、音声発生手段を別途、携帯型プレーヤー１に設けても良いし、表示部６に加え、画像表示手段を別途、携帯型プレーヤー１に設けても良い。
【００６６】
動画再生機能が作動状態にあるときには、図８に示すように、制御部７は自動で、乗車時に動画を再生し、乗換時に動画を停止しても良いし、乗車時に動画を再生し、乗換時に動画の画面（すなわち、表示部６）をオフの状態としても良い。また、放送受信機能が作動状態にあるときには、図８に示すように、制御部７は自動で、乗車時に放送を受信し（放送受信ＯＮとし）、乗換時に放送の受信を停止して（放送受信ＯＦＦとして）も良い。また、動画再生機能が作動状態にあるときに、図８に示すように、制御部７は自動で、乗車時に動画を再生し、乗換時に楽曲の再生（音楽プレーヤー再生）を行っても良いし、放送受信機能が作動状態にあるときに、図８に示すように、制御部７は自動で、乗車時に放送を受信し、乗換時に楽曲の再生（音楽プレーヤー再生）を行っても良い。また、乗車時と乗換時とで画像の濃淡を変えるようにしても良い。
【００６７】
これらの場合には、キー操作部３での所定の操作により、乗車時および乗換時に携帯型プレーヤー１のどの機能を動作させるかを選択できるようにすれば良い。また、これらの場合には、制御部７が、時刻表情報とこれらの機能とを関連付けたデータベースを作成して、このデータベースに基づいて、出力部５から発生される音声および／または表示部６に表示される画像を制御すれば良い。また、動画再生機能で再生される動画の音声データおよび画像データは、データ受信部８で受信され、大容量記憶部２に記憶されれば良い。また、放送受信機能で受信される音声データや画像データは、データ受信部８で受信されれば良い。
【００６８】
また、これらの場合には、上述した形態のステップＳ５での判断に基づいて、動画再生機能や放送受信機能を作動状態とし、上述した形態のステップＳ９での判断に基づいて、動画再生機能や放送受信機能を作動状態とすれば良い。
【００６９】
上述した形態では、乗車中に楽曲を再生し、乗換中に楽曲の再生を一時停止している。この他にもたとえば、時刻表情報として各電車の各停車駅の停車時間等の情報を取得し、この各停車駅の停車時間等と携帯型プレーヤー１の機能とを関連付けたデータベースを作成して、電車の移動中に楽曲を再生し、停車中に楽曲の再生を一時停止しても良い。
【００７０】
上述した形態では、携帯型プレーヤー１は楽曲再生機能を備え、大容量記憶部２に記憶されたデータベースに基づいて、楽曲の再生、停止を制御している。この他にもたとえば、携帯型プレーヤー１が英会話等の語学学習のための音声等、楽曲以外の音声を再生する音声再生機能を備え、大容量記憶部２に記憶されたデータベースに基づいて、音声の再生、停止を制御しても良い。
【００７１】
上述した形態では、携帯型プレーヤー１は、データ受信部８を備えている。この他にもたとえば、携帯型プレーヤー１はデータ受信部８を備えていなくても良い。この場合には、携帯型プレーヤー１はデータ受信機能を有するデータ受信装置に接続可能に構成されていれば良い。たとえば、携帯型プレーヤー１はデータ受信装置としての携帯電話やパーソナルコンピュータ（パソコン）等に接続可能に構成され、携帯電話やパソコン等を介して各種のデータ（情報）を受信しても良い。また、携帯型プレーヤー１がデータ受信部８を備えている場合であっても、携帯型プレーヤー１をパソコン等の外部のデータ受信装置に接続して、各種のデータ（情報）を受信しても良い。
【００７２】
上述した形態では、ステップＳ５での判断に基づいて、ステップＳ６で楽曲再生機能を作動状態とし、ステップＳ９での判断に基づいて、ステップＳ１２で楽曲再生機能を停止状態としている。この他にもたとえば、携帯型プレーヤー１が有する主要な機能が楽曲再生機能のみである場合には、ステップＳ５での判断に基づいて、携帯型プレーヤー１の主電源をオンの状態として、ステップＳ９での判断に基づいて、携帯型プレーヤー１の主電源をオフの状態としても良い。この場合には、バックアップ電源を用いて、ステップＳ５での判断を行えば良い。
【００７３】
上述した形態では、ステップＳ５で、現在時刻が出発駅Ａでの出発時間であると判断されると、制御部７が楽曲再生機能を作動状態として（ステップＳ６）、楽曲を再生する（ステップＳ７）。この他にもたとえば、現在時刻が出発駅Ａでの出発時間の所定時間前になったと判断されたとき、あるいは、現在時刻が出発駅Ａでの出発時間の所定時間経過後になったと判断されたときに、制御部７が楽曲再生機能を作動状態として、楽曲を再生しても良い。
【００７４】
同様に、上述した形態では、ステップＳ９で、現在時刻が到着駅Ｄへの到着時間であると判断されると、制御部７が楽曲の再生を停止して（ステップＳ１２）、楽曲再生機能を停止状態とする（ステップＳ１３）が、現在時刻が到着駅Ｄへの到着時間の所定時間前になったと判断されたとき、あるいは、現在時刻が到着駅Ｄへの到着時間の所定時間経過後になったと判断されたときに、制御部７が楽曲の再生を停止して、楽曲再生機能を停止状態としても良い。
【００７５】
上述した形態では、データ受信部８で受信された時刻表情報が一時記憶部１２に記憶され、演算部１１は、一時記憶部１２に記憶された時刻表情報と携帯型プレーヤー１の機能とを関連付けたデータベースを作成して、大容量記憶部２に記憶している。この他にもたとえば、データ受信部８で受信された時刻表情報を大容量記憶部２に記憶して、公共交通機関の中で使用される際の楽曲再生機能に関連する携帯型プレーヤー１の制御を行う場合に、制御部７が、大容量記憶部２に記憶された時刻表情報と携帯型プレーヤー１の機能とを関連付けても良い。すなわち、時刻表情報に基づいて、楽曲の再生、停止を制御しても良い。
【００７６】
上述した形態では、演算部１１が、時刻表情報と携帯型プレーヤー１の機能とを関連付けたデータベースを作成して大容量記憶部２に記憶している。この他にもたとえば、予め設定されたデータベースが大容量記憶部２に記憶されていても良い。この場合には、図６に示す制御フロー中のステップＳ１〜Ｓ３を省略することができる。
【００７７】
上述した形態では、楽曲データはデータ受信部８で受信され、大容量記憶部２に記憶されている。この他にもたとえば、携帯型プレーヤー１が、大容量記憶部２に加え、ＤＶＤ（Ｄｉｇｉｔａｌ  Ｖｅｒｓａｔｉｌｅ  Ｄｉｓｃ）の駆動装置やＣＤの駆動装置を備え、ＤＶＤやＣＤに楽曲データが記憶されていても良い。
【図面の簡単な説明】
【００７８】
【図１】本発明の実施の形態にかかる携帯型プレーヤーの概略構成を示すブロック図である。
【図２】図１に示す表示部の、時刻表情報取得時の画面を示す図であり、（Ａ）は時刻表情報を取得するための情報入力画面を示し、（Ｂ）は取得した時刻表情報の表示画面を示す。
【図３】図１に示す演算部で作成され、大容量記憶部に記憶されるデータベースの一例を示す表である。
【図４】図１に示す携帯型プレーヤーの時刻表連動再生モード等を設定する際の表示部の画面を示す図である。
【図５】図１に示す携帯型プレーヤーの時刻表連動再生モードにおける楽曲再生時の表示部の画面の一例を示す図である。
【図６】図１に示す携帯型プレーヤーの制御方法を説明するためのフローチャートである。
【図７】図１に示す携帯型プレーヤーの制御方法を説明するための概念図である。
【図８】本発明の他の実施の形態にかかる携帯型プレーヤーの構成を説明するための表である。
【符号の説明】
【００７９】
１  携帯型プレーヤー
２  大容量記憶部（情報記憶手段、楽曲記憶手段）
５  出力部（音声発生手段）
６  表示部（画像表示手段、再生状態表示手段）
７  制御部（制御手段）
８  データ受信部（データ受信手段）
Ｓ１  時刻表情報取得ステップ
Ｓ３  データベース作成ステップ
Ｓ５〜Ｓ１２  制御ステップ
【図１】
2008309816.tif 000003
【図２】
2008309816.tif 000004
【図３】
2008309816.tif 000005
【図４】
2008309816.tif 000006
【図５】
2008309816.tif 000007
【図６】
2008309816.tif 000008
【図７】
2008309816.tif 000009
【図８】
2008309816.tif 000010